(57)【要約】      （修正有）【課題】杖、車椅子、シルバーカーなどの介護用品の棒状部分（パイプ）に安定した状態で取り付けて使用することが可能な、小物入れを提供する。【解決手段】前面部１１、背面部１２及び周面部１３を有する略楕円箱型状の小物入れ本体１０と、該背面部に配置され、杖、車いす、シルバーカーなどの介護用品の棒状部分（パイプ）に着脱自在に巻き付けて小物入れ本体をパイプに安定した姿勢で取り付ける２本の取付けバンド２０とを備える。取付けバンドは、可撓性を有するテープ状のバンド片２１と面ファスナー（ループ部２７、フック部２８）とを備える。パイプに巻き付けたときに重なり合う、バンド片の一方の端部の面にループ部を設け、バンド片の他方の端部の面にフック部を設ける。【選択図】図１
0003208085.tif 000002
【実用新案登録請求の範囲】
【請求項１】
スライドファスナーにより開閉される開閉部を有する小物入れ本体と、該小物入れ本体の背面に配置され、棒状部材に着脱自在に巻き付けて小物入れ本体を該棒状部材に安定した姿勢で取り付けるための取付けバンドとを備え、
前記取付けバンドは、前記棒状部材に巻き付けたときに重なり合う、一方の端部の面と他方の端部の面に面ファスナーを設けたことを特徴とする、小物入れ。
【考案の詳細な説明】
【技術分野】
【０００１】
本考案は、杖、車椅子、シルバーカーなどの介護用品に簡単に取付けることが出来る小物入れに関する。
【背景技術】
【０００２】
歩行の際の補助として杖を使用している者にとって手が自由に使えるようにすることは重要である。このため、小物入れ（ポーチ）は、ショルダーバック、リュックサックなどに装着するか、あるいは衣服に装着するなどしている。
【０００３】
例えば、ポーチに留め具を設け、ショルダーバックやリュックサックのベルト部分や衣服のポケットなどに装着できるようにしたものが知られている（特許文献１参照）。
【先行技術文献】
【特許文献】
【０００４】
【特許文献１】実用新案登録第３１７０３９３号公報
【考案の概要】
【考案が解決しようとする課題】
【０００５】
しかし、ポーチからティシュペーパー、ハンカチなどを取り出す際には、ポーチが手許になく、一旦ポーチをショルダーバックやリュックサックのベルト部分や衣服のポケットなどから取り外さなければならず、面倒である。
【０００６】
そこで、ポーチを杖に取付けることが出来るようにすれば、ポーチを手許に位置させるようにすることができ、使用に便利であるが、これまで提案されたポーチでは、杖のような棒状のもの（例えばパイプ）に安定した姿勢（状態）で取り付けることが難しい課題がある。
【０００７】
本考案は、杖、車椅子、シルバーカーなどの介護用品の棒状部分（パイプ）に安定した姿勢（状態）で取付けて使用することが可能な小物入れを提供することを目的とする。
【課題を解決するための手段】
【０００８】
本考案の請求項１に記載の小物入れはスライドファスナーにより開閉される開閉部を有する小物入れ本体と、該小物入れ本体の背面に配置され、棒状部材に着脱自在に巻き付けて小物入れ本体を該棒状部材に安定した姿勢で取り付けるための取付けバンドとを備え、前記取付けバンドは、前記棒状部材に巻き付けたときに重なり合う、一方の端部の面と他方の端部の面に面ファスナーを設けたことを特徴とする。
【考案の効果】
【０００９】
本考案によれば、取付けバンドを杖、車椅子、シルバーカーなどの介護用品の棒状部材に巻き付けて、一方の端部の面と他方の端部の面を重ね合わせて面ファスナーで閉じることにより、小物入れ本体を安定した姿勢（状態）で杖、車椅子、シルバーカーなどの介護用品に取付けて使用することができる。
【図面の簡単な説明】
【００１０】
【図１】本考案の小物入れの一実施例を示す、取付けバンドを展開した状態の背面側から見た斜視図である。
【図２】図１の取付けバンドの部分を示し、図２（ａ）は横断面図、図２（ｂ）は背面図、図２（ｃ）は正面図である。
【図３】図１に示す小物入れを杖に取付けた状態を示す、参考のための背面側から見た斜視図である。
【考案を実施するための形態】
【実施例１】
【００１１】
図１乃至図３は本考案の小物入れの一実施例を示す。
【００１２】
本実施例の小物入れは、前面部１１、背面部１２及び周面部１３を有する略楕円箱型状の小物入れ本体１０と、この小物入れ本体１０の背面部１２に配置された２本の取付けバンド２０とを備える。２本の取付けバンド２０は、小物入れ本体１０を、杖、車いす、シルバーカーなどの介護用品の棒状部分（パイプ）Ｐ（図３参照）に安定した姿勢（状態）で取付けるもので、小物入れ本体１０の短辺方向に沿って延び且つ背面部１２にその長辺方向に適宜間隔をあけて互いに平行に配置される。
【００１３】
小物入れ本体１０は、その内部が複数の収納部に仕切られており、周面部１３には、その幅方向中央に該周面部１３に沿ってスライドファスナー３０によって開閉される開閉部３１が設けられる。開閉部３１は、小物入れ本体１０の底部を除いた上半分に相当する周面部１３に設けられる。
【００１４】
取付けバンド２０は、パイプＰに巻き付けることができる可撓性を有したテープ状のバンド片２１と、面ファスナー（ループ状に密集して起毛されたループ部２７とフック状に起毛されたフック部２８）とを備える。バンド片２１は、パイプＰに巻き付けた時、その長辺方向の一端部２３と他端部２４とが十分に重なり合う長さに設定される。バンド片２１の互いに重なり合う一端部２３の面と他端部２４の面に面ファスナー（ループ部２７とフック部２８）が配置される。詳しくは、バンド片２１の一端部２３の、他端部２４の面上に重なる面にループ部２７が配置され、その他端部２４の、一端部２３の面が重なり覆われる面にフック部２８が配置される。バンド片２１は、その正面側を小物入れ本体１０の背面部１２に向けて、その長辺方向中央部分２５を該背面部１２に縫い付けることにより小物入れ本体１０に取り付けられる。本実施例では、バンド片２１は、パイプＰの周面に接する背面側をバンド片２１がパイプＰに対して滑らないゴムや合成樹脂などの滑り止めシートから構成し、パイプＰの周面に接しない正面側を繰り返しの使用により滑り止めシートが破断しないように補強する布製シートから構成した二層構造になっている。
【００１５】
バンド片２１を一端部２３が上側で他端部２４が下側に重なり合うようにパイプＰに巻き付けて一端部２３を他端部２４に押し付けることにより、ループ部２７とフック部２８とが互いに絡み合って、バンド片２１の一端部２３と他端部２４とが容易に外れないように連結されてバンド片２１が閉じられる。また、上側のバンド片２１の一端部２３を他端部２４側から引きあげるように引っ張ると、ループ部２７がフック部２８から引き剥がされてバンド片２１が開かれる。
【００１６】
本実施例では、小物入れ本体１０の背面部１２に、その長辺方向に適宜間隔をあけて取付けバンド２０を２本配置した場合を示しているが、これに限定されるものではない。例えば、小物入れ本体１０の長辺方向の寸法が短い場合には、その長辺方向中央部に取付けバンド２０を１本配置してもよい。要は小物入れ本体１０がパイプＰの軸方向に沿って傾かずに安定した姿勢を保つように、小物入れ本体１０の背面部１２に必要な本数の取付けバンド２０を配置すればよい。また、テープ状のバンド片２１ではなく、略正方形状のバンド片２１であってもよい。この場合、パイプＰに接する面を大きく確保できることからバンド片２１は１枚で済む。
【００１７】
図３を参照して本実施例の小物入れの使用例について説明する。
【００１８】
小物入れ本体１０を杖のパイプＰに沿って起立させ、各バンド片２１の背面側をパイプＰの周面に当てた状態で、各バンド片２１を、その一端部２３が他端部２４上に重なり合うようにしてパイプＰの周面にしっかりと巻き付けて、一端部２３を他端部２４側に押し付けると、ループ部２７とフック部２８とが互いに絡み合って、各バンド片２１の一端部２３と他端部２４とが容易に外れないように連結される。これにより、各バンド片２１の背面がパイプＰの周面に密着した状態となって滑らず、小物入れ本体１０を安定した姿勢で杖に取付けることが出来る。小物入れ本体１０を杖の上端に設けられる把持部の近傍に取り付けることにより、杖の使用者の手許に小物入れ本体２０が位置することになり、使用に便利である。
【００１９】
本考案の小物入れは、杖の他に車椅子やシルバーカーなどの介護用品のパイプＰにも安定した姿勢で取り付けることが出来る。
【００２０】
本考案の小物入れは、上記実施例に示したものに限定されるものではない。例えば、小物入れ本体１０を楕円箱型状以外に、円筒型状や方形箱型状に形成することも出来る。また、小物入れ本体１０の表面に模様を付してもよい。
【産業上の利用可能性】
【００２１】
本考案の小物入れは介護用品のパイプＰの個所に取付けて使用することが出来る。
【符号の説明】
【００２２】
１０        小物入れ本体
１１        前面部
１２        背面部
１３        周面部
２０        取付けバンド
２１        バンド片
２３        一端部
２４        他端部
２５        長辺方向中央部分
２７        ループ部
２８        フック部
３０        スライドファスナー
３１        開閉部
３２        スライダー
Ｐ          パイプ
【図１】
0003208085.tif 000003
【図２】
0003208085.tif 000004
【図３】
0003208085.tif 000005